(57)【要約】【課題】複雑な制御装置を用いずに、次亜塩素酸イオンを含む水溶液を被処理水に供給することができる水処理装置を提供する。【解決手段】水処理装置１０は、ポンプ２、殺菌剤注入部５、および活性炭層６を備えている。ポンプ２は、水源Ｇから吸込流路１を経由して被処理水Ｗを汲み上げる。殺菌剤注入部５は、吸込流路１を流れる被処理水Ｗに生じている負圧を利用して、次亜塩素酸イオンを含む水溶液を吸込流路１内の被処理水Ｗへ注入する。活性炭層６は、殺菌剤注入部５に下流に設けられ、被処理水Ｗから次亜塩素酸イオンの少なくとも一部を除去し、被処理水Ｗを通過させる。【選択図】図１
2017087120.tif 000002
【特許請求の範囲】
【請求項１】
水源から吸込流路を経由して被処理水を汲み上げるポンプと、
前記吸込流路を流れる前記被処理水に生じる負圧を利用して、次亜塩素酸イオンを含む水溶液を前記吸込流路内の前記被処理水へ注入する殺菌剤注入部と、
前記殺菌剤注入部の下流に設けられ、前記被処理水から前記次亜塩素酸イオンの少なくとも一部を除去し、前記被処理水を通過させる活性炭層と、を備えた、水処理装置。
【請求項２】
前記殺菌剤注入部は、
前記次亜塩素酸イオンを含む水溶液を貯留する殺菌剤タンクと、
前記殺菌剤タンクから前記吸込流路まで前記次亜塩素酸イオンを含む水溶液を導く導入流路と、
前記殺菌剤タンクよりも低い位置に設けられ、前記吸込流路と前記導入流路とを接続する流路接続部と、を含む、請求項１に記載の水処理装置。
【請求項３】
前記ポンプの流量が、５Ｌ／分〜３０Ｌ／分であり、
前記殺菌剤タンク内の前記次亜塩素酸イオンの濃度が、５，０００ｐｐｍ〜５０，０００ｐｐｍであり、
前記導入流路の径は、前記吸込流路の径の１／１０〜１０／１０の範囲内の値であり、
前記活性炭層を構成する活性炭粒子群の平均粒子径は、０．５ｍｍ〜２．０ｍｍの範囲内の値であり、
前記活性炭層に関する空間速度が、ＳＶ５０／時間〜ＳＶ１０００／時間の範囲内の値である、請求項２に記載の水処理装置。
【請求項４】
前記活性炭層は、前記殺菌剤注入部と前記ポンプとの間の前記吸込流路に設けられた、請求項１〜３のいずれかに記載の水処理装置。
【請求項５】
前記活性炭層の下流に設けられ、前記活性炭層を通過した前記被処理水を通過させるフィルタ部をさらに備え、
前記活性炭層は、金属酸化物粒子および金属水酸化物粒子のうちの少なくともいずれか一方を担持しており、
前記被処理水が金属粒子、金属イオン、金属酸化物、および金属水酸化物の少なくともいずれか１つの金属成分を含んでいる場合に、前記金属酸化物粒子および前記金属水酸化物粒子のうちの少なくともいずれか一方は、前記金属成分を吸着することによって、前記金属酸化物粒子および前記金属水酸化物粒子のうちの少なくともいずれか一方の凝集物になり、
前記フィルタ部は、前記被処理水とともに前記活性炭層から流出した前記凝集物の通過を抑制する、請求項１〜４のいずれかに記載の水処理装置。
【請求項６】
前記金属粒子、金属イオン、金属酸化物、および金属水酸化物が、それぞれ、鉄粒子、鉄イオン、鉄酸化物、および鉄水酸化物である、請求項５に記載の水処理装置。
【発明の詳細な説明】
【技術分野】
【０００１】
被処理水を浄化する水処理装置に関する。
【背景技術】
【０００２】
従来から、地下水等の被処理水を浄化する水処理装置が用いられている。従来の水処理装置においては、次亜塩素酸イオンを含む水溶液が殺菌剤として被処理水に注入されるものがある。次亜塩素酸イオンの濃度が高いと、生活用水としては適していない。そのため、次亜塩素酸イオンが注入される流路の下流に活性炭層が設けられている。それにより、次亜塩素酸イオンは、被処理水の殺菌を終えた後、活性炭層において除去される。その結果、活性炭層の下流では、次亜塩素酸イオンの濃度が生活用水としての許容値以下になった被処理水が流れる。たとえば、次の特許文献１には、次亜塩素酸イオンを含む水溶液の一例としての次亜塩素酸ナトリウム水溶液が被処理水に注入され、次亜塩素酸イオンの作用によって殺菌が行われる技術が開示されている。
【先行技術文献】
【特許文献】
【０００３】
【特許文献１】特開２０１３−２４８５７３号公報
【発明の概要】
【発明が解決しようとする課題】
【０００４】
上記した従来の水処理装置においては、ポンプの下流であってかつ活性炭層の上流に次亜塩素酸イオンを含む水溶液が注入される。そのため、活性炭層がポンプによって送り出された被処理水の流れに対する抵抗となる。その結果、ポンプから活性炭層までの流路の被処理水には高い正圧がかけられる。したがって、次亜塩素酸イオンがポンプの下流の流路からタンクへ逆流するおそれがある。この逆流を防止しながら次亜塩素酸イオンを含む水溶液を活性炭層へ適切な量だけ供給するためには、次亜塩素酸イオンを含む水溶液の被処理水への注入量を制御するための複雑な制御装置が必要になる。つまり、ポンプの下流に次亜塩素酸イオンを含む水溶液を注入する従来の水処理装置によれば、複雑な制御装置を用いることなく、次亜塩素酸イオンを含む水溶液を被処理水に供給することが困難である。
【０００５】
本発明は、このような従来技術の有する課題に鑑みてなされたものである。そして、本発明の目的は、複雑な制御装置を用いずに、次亜塩素酸イオンを含む水溶液を被処理水に供給することができる水処理装置を提供することである。
【課題を解決するための手段】
【０００６】
上記課題を解決するために、本発明のある態様に係る水処理装置は、水源から吸込流路を経由して被処理水を汲み上げるポンプと、前記吸込流路を流れる前記被処理水に生じる負圧を利用して、前記次亜塩素酸イオンを含む水溶液を前記吸込流路内の前記被処理水へ注入する殺菌剤注入部と、前記殺菌剤注入部の下流に設けられ、前記被処理水から前記次亜塩素酸イオンの少なくとも一部を除去し、前記被処理水を通過させる活性炭層と、を備えている。
【発明の効果】
【０００７】
本発明によれば、複雑な制御装置を用いずに、次亜塩素酸イオンを含む水溶液を被処理水に供給することができる。
【図面の簡単な説明】
【０００８】
【図１】本発明の実施の形態１の水処理装置の全体構成を説明するための模式図である。
【図２】本発明の実施の形態１の水処理装置の導入流路の径と吸込流路の径との関係を説明するための模式図である。
【図３】本発明の実施の形態１の水処理装置の活性炭層内で鉄成分が除去されることを説明するための模式図である。
【図４】本発明の実施の形態２の水処理装置の全体構成を説明するための模式図である。
【発明を実施するための形態】
【０００９】
以下、図面を参照しながら、実施の形態の水処理装置を説明する。
【００１０】
（実施の形態１）
図１に示されるように、実施の形態１の水処理装置１０は、水源Ｇとしての地面から被処理水Ｗとしての地下水を汲み上げて、その地下水を浄化するためのものである。なお、地下水として、井水が汲み上げられてもよい。本実施の形態の水処理装置１０は、吸込流路１、ポンプ２、吐出流路３、フィルタ部４、殺菌剤注入部５、および活性炭層６を備えている。
【００１１】
吸込流路１は、その一方端が水源Ｇに挿入され、水源Ｇから吸い上げられた被処理水Ｗを導く。吸込流路１においては、その上流側に殺菌剤注入部５が接続され、その下流側に活性炭層６が接続されている。
【００１２】
ポンプ２は、吸込流路１の下流側の端部に接続され、水源Ｇから吸込流路１を経由して被処理水Ｗを汲み上げ、吐出流路３へ吐出する。吐出流路３の上流側の端部は、ポンプ２に接続されている。吐出流路３は、ポンプ２から吐出された被処理水Ｗを下流の水栓等へ導く。フィルタ部４は、吐出流路３に設けられている。フィルタ部４は、活性炭層６を通過した被処理水Ｗに含まれる基準サイズ以上の異物を通過させないが、被処理水Ｗを通過させる。
【００１３】
殺菌剤注入部５は、次亜塩素酸イオン（ＣｌＯ−）を含む水溶液を、吸込流路１を流れる被処理水Ｗに生じる負圧を利用して、被処理水Ｗへ注入する。次亜塩素酸イオンを含む水溶液は、被処理水Ｗ中の菌を死滅させるための殺菌剤として用いられている。次亜塩素酸イオンを含む水溶液は、次亜塩素酸塩としての次亜塩素酸ナトリウムまたは次亜塩素酸カルシウム等から生成される。ただし、次亜塩素酸イオンを含む水溶液は、固形の塩素が水に溶解することによって生成されてもよい。次亜塩素酸イオンは、主に活性炭層６に至るまでの吸込流路１内の被処理水Ｗ中において殺菌効果を発揮する。
【００１４】
本実施の形態においては、殺菌剤注入部５は、殺菌剤タンク５ａ、導入流路５ｂ、および流路接続部５ｃを備えている。殺菌剤タンク５ａは、次亜塩素酸イオンを含む水溶液を貯留する。導入流路５ｂは、殺菌剤タンク５ａから吸込流路１まで次亜塩素酸イオンを含む水溶液を導く。流路接続部５ｃは、殺菌剤タンク５ａよりも低い位置に設けられ、吸込流路１と導入流路５ｂとを接続する。本実施の形態においては、殺菌剤タンク５ａ内の次亜塩素酸イオンをその自重を利用して吸込流路１へ注入することができる。
【００１５】
活性炭層６は、殺菌剤注入部５とポンプ２との間の吸込流路１に設けられている。活性炭層６は、被処理水Ｗから次亜塩素酸イオンの少なくとも一部を除去し、被処理水Ｗを通過させる。
【００１６】
ポンプ２の上流においては、ポンプ２の吸引力が作用する。そのため、ポンプ２が駆動されていれば、吸込流路１を流れる被処理水Ｗに負圧が生じている。また、殺菌剤注入部５は吸込流路１に接続されている。そのため、ポンプ２が駆動されていると、殺菌剤タンク５ａ内の次亜塩素酸イオンを含む水溶液に負圧が生じる。その結果、被処理水Ｗの流れのみを利用として、次亜塩素酸イオンを含む水溶液を被処理水Ｗに自然に注入することができる。
【００１７】
上記の本実施の形態の水処理装置１０によれば、吸込流路１内を流れる被処理水Ｗには負圧が生じているため、次亜塩素酸イオンを含む被処理水Ｗが吸込流路１から殺菌剤注入部５へ逆流することがない。したがって、複雑な制御装置を用いずに、次亜塩素酸イオンを適切な量だけ被処理水Ｗへ供給することができる。
【００１８】
本実施の形態においては、活性炭層６が殺菌剤注入部５とポンプ２との間の吸込流路１に設けられている。そのため、次亜塩素酸イオンの少なくとも一部は、活性炭層６によってポンプ２に流れ込む前に除去される。その結果、ポンプ２に流れ込む次亜塩素酸イオンの量を活性炭層６によって低減させることができる。したがって、被処理水Ｗ中の次亜塩素酸イオンに起因したポンプ２の劣化を抑制することができる。特に、ポンプ２が鉄製、鋼製、鋳鉄製、青銅製、またはステンレス製等の金属である場合、ポンプ２の劣化の抑制効果が高い。
【００１９】
本実施の形態においては、ポンプ２の揚水能力は、５Ｌ／分〜３０Ｌ／分の範囲の流量であることが好ましい。前述の範囲の下限値が好ましい理由は、ポンプ２の流量が５Ｌ／分より小さい場合には、次亜塩素酸イオンを含む水溶液が吸込流路１に吸い込まれ難いためである。また、前述の範囲の上限値が好ましい理由は、ポンプ２の流量が３０Ｌ／分より大きい場合には、生活用水としては適切ではない大きな流量の被処理水Ｗが下流へ流れてしまうためである。
【００２０】
殺菌剤タンク５ａに貯留される次亜塩素酸イオンの濃度は、５，０００ｐｐｍ〜５０，０００ｐｐｍの範囲内の濃度であることが好ましい。前述の範囲の下限値が好ましい理由は、次亜塩素酸イオンの濃度が５，０００ｐｐｍを下回ると、殺菌に必要とされる次亜塩素酸イオンの濃度を確保することができないためである。また、前述の範囲の上限値が好ましい理由は、次亜塩素酸イオンの濃度が５０，０００ｐｐｍを超えると、次亜塩素酸イオンが供給過多になるおそれがあるとともに、次亜塩素酸イオンの自己分解量が多いため、その取扱が困難になるためである。ただし、安全率を考慮すると、次亜塩素酸イオンの濃度は、８，０００ｐｐｍ〜２０，０００ｐｐｍであることがより好ましい。
【００２１】
図２に示されるように、吸込流路１の径Ａと導入流路５ｂの径Ｂとの比は、１０：１〜１０：１０の範囲内の値であることが好ましい。つまり、導入流路５ｂの径Ｂが吸込流路１の径Ａの１／１０〜１０／１０の範囲内の値であることが好ましい。前述の範囲の下限値が好ましい理由は、導入流路５ｂの径Ｂが吸込流路１の径Ａの１／１０よりも小さいと、殺菌に必要な量の次亜塩素酸イオンを被処理水Ｗに供給できないためである。また、前述の範囲の上限値が好ましい理由は、導入流路５ｂの径Ｂが吸込流路１の径Ａよりも大きいと、次亜塩素酸イオンの供給量が過多になり、活性炭層６で生活用水に適した濃度まで次亜塩素酸イオンの濃度を低下させることができないためである。
【００２２】
活性炭層６に用いられる活性炭粒子の種類は特に限定されるものではない。ただし、活性炭粒子群の全体の表面積は、ある程度の範囲内の値であることが好ましい。そのため、活性炭層６を構成する活性炭粒子群の平均粒子径は、０．５ｍｍ〜２．０ｍｍの範囲内の値であることが好ましい。この範囲の下限値が好ましい理由は、活性炭粒子群の平均粒子径が０．５ｍｍより小さい場合、活性炭層６に流入した直後の被処理水Ｗの圧力損失が大きいため、ポンプ２の揚水能力に悪影響が及ぼされてしまうおそれがあるからである。前述の範囲の上限値が好ましい理由は、活性炭粒子群の平均粒子径が２．０ｍｍより大きいと、活性炭粒子に接触しない被処理水Ｗの量が多くなるため、生活用水に適した濃度まで次亜塩素酸イオンの濃度を低下させることができないからである。
【００２３】
活性炭層６に関しては、一般に、ＳＶ（Space Velocity）＝Ｑ／Ｖという式が成立している。ここで、ＳＶは活性炭層６の空間速度（ｈ−１）、Ｑは活性炭層６を通過する被処理水Ｗの流量（ｍ３／ｈ）、Ｖは活性炭層６の体積（ｍ３）である。
【００２４】
空間速度ＳＶが５０（１／時間）より小さいと、活性炭層６の体積が大き過ぎるため、ポンプ２の揚水能力に悪影響が及ぼされる。一方、空間速度ＳＶが１０００（１／時間）より大きいと、次亜塩素酸イオンの除去能力が低過ぎるため、生活用水、特に飲料水としては高すぎる濃度の次亜塩素酸イオンを含む被処理水Ｗが下流へ流れてしまう。
【００２５】
上記の理由から、活性炭層６の空間速度がＳＶ５０／時間〜ＳＶ１０００／時間の範囲内の値であることが好ましい。このような活性炭層６の構成によれば、生活用水に適切なポンプ２の揚水能力、および、必要な次亜塩素酸イオンの殺菌効果を発揮させながら、生活用水として適した次亜塩素酸イオン濃度の被処理水Ｗを活性炭層６の下流へ流出させることができる。具体的には、１ｐｐｍ以下という一般的に飲料水に許容される濃度まで次亜塩素酸イオンの濃度を低下させた状態で、被処理水Ｗを活性炭層６の下流へ流出させることができる。
【００２６】
本実施の形態においては、活性炭層６はポンプ２の上流に設けられている。そのため、活性炭層６は、ポンプ２に過剰な次亜塩素酸イオンが流入するのを抑制する。その結果、次亜塩素酸イオンに起因したポンプ２の劣化を抑制することが可能になっている。
【００２７】
図３に示されるように、本実施の形態においては、活性炭層６は、鉄酸化物粒子ＦＯおよび鉄水酸化物粒子ＦＯＨのうちの少なくともいずれか一方を担持している。被処理水Ｗが、鉄粒子、鉄イオン、鉄酸化物、および鉄水酸化物の少なくともいずれか１つの鉄成分を含んでいる場合がある。この場合には、鉄酸化物粒子ＦＯおよび鉄水酸化物粒子ＦＯＨは、いずれも、前述の鉄成分を吸着する。それによって、鉄酸化物粒子ＦＯおよび鉄水酸化物粒子ＦＯＨの少なくともいずれか一方の凝集物ＡＧが成長する。この場合、フィルタ部４は、被処理水Ｗとともに活性炭層６から流出した凝集物ＡＧの通過を抑制する。つまり、フィルタ部４は、鉄酸化物粒子ＦＯおよび鉄水酸化物粒子ＦＯＨの凝集物ＡＧのそれぞれを捕捉できる程度の孔径を有している。
【００２８】
鉄イオンは、たとえば、二価の鉄イオン（Ｆｅ２＋）および三価の鉄イオン（Ｆｅ３＋）である。鉄酸化物粒子ＦＯは、鉄酸化物［ＦｅａＯｂ；（ａ＞０，ｂ＞０）］の粒子である。鉄水酸化物粒子ＦＯＨは、第１の鉄水酸化物［Ｆｅｃ（ＯＨ）ｄ；（ｃ＞０，ｄ＞０）］の粒子および第２の鉄水酸化物［ＦｅｅＯｆ（ＯＨ）ｇ；（ｅ＞０、ｆ＞０、ｇ＞０）］の粒子の少なくともいずれか一方である。被処理水Ｗは、たとえば、二価の鉄イオン（Ｆｅ２＋）、三価の鉄イオン（Ｆｅ３＋）、鉄（Ｆｅ）の粒子、鉄酸化物（Ｆｅ２Ｏ３）の粒子、および鉄水酸化物（Ｆｅ（ＯＨ）３，ＦｅＯ（ＯＨ））の粒子の全てを含んでいる場合もある。
【００２９】
本実施の形態においては、活性炭層６内で、次亜塩素酸イオンは、酸化剤としても機能し、被処理水Ｗ中で鉄成分を酸化する。そのため、鉄酸化物粒子ＦＯおよび鉄水酸化物粒子ＦＯＨは、いずれも、次亜塩素酸イオンの酸化作用を利用して、被処理水Ｗ中の鉄粒子、鉄イオン、鉄酸化物、および鉄水酸化物を吸着する作用を高めることができる。つまり、被処理水Ｗ中で殺菌剤として機能する次亜塩素酸イオンは、活性炭層６内において鉄酸化物粒子ＦＯおよび鉄水酸化物粒子ＦＯＨの凝集を促進させる凝集促進剤としても機能する。そのため、次亜塩素酸イオンの被処理水Ｗへの注入によって水処理装置１０の鉄成分の除去能力を向上させることができる。また、次亜塩素酸イオンの除去と鉄成分の除去とを同一の活性炭層６で実行することができる。
【００３０】
フィルタ部４は、被処理水Ｗを通過させる一方で、活性炭層６から被処理水Ｗとともに流出した鉄酸化物粒子ＦＯの凝集物ＡＧおよび鉄水酸化物粒子ＦＯＨの凝集物ＡＧの通過を抑制しさえすればよい。したがって、フィルタ部４は、膜ろ過部または砂ろ過部等のいかなる構造によって実現されてもよい。
【００３１】
なお、本実施の形態において、前述の鉄は、金属の一例として挙げられている。たとえば、活性炭層６が、鉄酸化物ＦＯおよび鉄水酸化物ＦＯＨの代わりに、マンガン酸化物およびマンガン水酸化物のうちの少なくともいずれか一方を担持していてもよい。この場合、マンガン酸化物およびマンガン水酸化物のうちの少なくともいずれか一方は、被処理水Ｗ中のマンガン成分を吸着し、マンガン酸化物およびマンガン水酸化物の凝集物ＡＧに成長する。マンガン酸化物およびマンガン水酸化物の少なくともいずれか一方の凝集物ＡＧは、ある程度の大きさまで成長すると、活性炭層６から流出した後、フィルタ部４によって捕捉される。
【００３２】
（実施の形態２）
図４を用いて、実施の形態２の水処理装置１０を説明する。図４に示される本実施の形態の水処理装置１０においては、上記した実施の形態１の水処理装置１０と同一の機能を有する部位には同一の参照番号が付されており、その同一の機能の説明は、特に必要がなければ、繰り返さない。
【００３３】
本実施の形態の水処理装置１０においては、活性炭層６がポンプ２の下流に設けられている点のみにおいて、実施の形態１の水処理装置１０と異なっている。
【００３４】
実施の形態の水処理装置１０によっても、殺菌剤注入部５がポンプ２の上流に設けられている。そのため、殺菌剤タンク５ａ内の次亜塩素酸イオンを含む水溶液を、吸込流路１内を流れる被処理水Ｗに生じる負圧を利用して、被処理水Ｗに注入することができる。その結果、次亜塩素酸イオンを含む被処理水Ｗが吸込流路１から殺菌剤注入部５へ逆流することを抑制することができる。したがって、複雑な制御装置を用いずに、次亜塩素酸イオンを適切な量だけ被処理水Ｗへ供給することができる。
【００３５】
以下、実施の形態の水処理装置１０の特徴的構成およびそれにより得られる効果を説明する。
【００３６】
（１）  実施の形態の水処理装置１０は、ポンプ２、殺菌剤注入部５、および活性炭層６を備えている。ポンプ２は、水源Ｇから吸込流路１を経由して被処理水Ｗを汲み上げる。殺菌剤注入部５は、吸込流路１を流れる被処理水Ｗに生じている負圧を利用して、次亜塩素酸イオンを含む水溶液を吸込流路１内の被処理水Ｗへ注入する。活性炭層６は、殺菌剤注入部５の下流に設けられ、被処理水Ｗから次亜塩素酸イオンの少なくとも一部を除去し、被処理水Ｗを通過させる。
【００３７】
上記の構成によれば、複雑な制御装置を用いずに、次亜塩素酸イオンを被処理水Ｗへ供給することができる。
【００３８】
（２）  殺菌剤注入部５は、殺菌剤タンク５ａ、導入流路５ｂ、および流路接続部５ｃを備えていてもよい。殺菌剤タンク５ａは、次亜塩素酸イオンを含む水溶液を貯留する。導入流路５ｂは、殺菌剤タンク５ａから吸込流路１まで次亜塩素酸イオンを含む水溶液を導く。流路接続部５ｃは、殺菌剤タンク５ａよりも低い位置に設けられ、吸込流路１と導入流路５ｂとを接続する。
【００３９】
上記の構成によれば、次亜塩素酸イオンを含む水溶液の自重を利用するという極めて簡単な構成で、次亜塩素酸イオンを吸込流路１へ注入することができる。
【００４０】
（３）  ポンプ２の流量が５Ｌ／分〜３０Ｌ／分であることが好ましい。殺菌剤タンク５ａ内の次亜塩素酸イオンの濃度が５，０００ｐｐｍ〜５０，０００ｐｐｍであることが好ましい。導入流路５ｂの径Ｂが吸込流路１の径Ａの１／１０〜１０／１０の範囲内の値であることが好ましい。活性炭層６を構成する活性炭粒子群の平均粒子径が０．５ｍｍ〜２．０ｍｍの範囲内の値であることが好ましい。活性炭層６に関する空間速度がＳＶ５０／時間〜ＳＶ１０００／時間の範囲内の値であることが好ましい。
【００４１】
上記の構成によれば、生活用水の供給に適したポンプ２の揚水能力、および、必要な次亜塩素酸イオンの殺菌効果を発揮させながら、生活用水として適した次亜塩素酸イオン濃度の被処理水Ｗを活性炭層６の下流へ流出させることができる。
【００４２】
（４）  活性炭層６は、殺菌剤注入部５とポンプ２との間の吸込流路１に設けられていることが好ましい。これによれば、ポンプ２に流れ込む次亜塩素酸イオンの濃度を低下させることができる。そのため、ポンプ２が次亜塩素酸イオンに接触することに起因したポンプ２の劣化を抑制することができる。
【００４３】
（５）  水処理装置１０は、活性炭層６の下流に設けられ、活性炭層６を通過した被処理水Ｗを通過させるフィルタ部４をさらに備えていることが好ましい。活性炭層６は、金属酸化物粒子および金属水酸化物粒子のうちの少なくともいずれか一方を担持していることが好ましい。被処理水Ｗが金属粒子、金属イオン、金属酸化物、および金属水酸化物のうちの少なくともいずれか１つの金属成分を含んでいる場合がある。この場合に、上記の構成によれば、金属酸化物粒子および金属水酸化物粒子のうちの少なくともいずれか一方は、金属成分を吸着する。それによって、金属酸化物粒子および金属水酸化物粒子のうちの少なくともいずれか一方の凝集物ＡＧになる。フィルタ部４は、被処理水Ｗとともに活性炭層６から流出した凝集物ＡＧの通過を抑制する。
【００４４】
上記の構成によれば、次亜塩素酸イオンの被処理水Ｗへの注入によって水処理装置１０の金属成分の除去能力を向上させることができる。また、次亜塩素酸イオンの除去と鉄成分の除去とを同一の活性炭層６で実行することができる。
【００４５】
（６）  金属粒子、金属イオン、金属酸化物、および金属水酸化物が、それぞれ、鉄粒子、鉄イオン、鉄酸化物、および鉄水酸化物であってもよい。これによれば、地下水に多く含まれている鉄成分を除去することができる。
【符号の説明】
【００４６】
１  吸込流路
２  ポンプ
４  フィルタ部
５  殺菌剤注入部
５ａ  殺菌剤タンク
５ｂ  導入流路
５ｃ  流路接続部
６  活性炭層
１０  水処理装置
ＡＧ  凝集物
ＦＯ  鉄酸化物粒子（金属酸化物粒子）
ＦＯＨ  鉄水酸化物粒子（金属水酸化物粒子）
Ｇ  水源
Ｗ  被処理水
【図１】
2017087120.tif 000003
【図２】
2017087120.tif 000004
【図３】
2017087120.tif 000005
【図４】
2017087120.tif 000006